(57)【要約】【課題】  読書き処理の効率を大幅に向上させたタグのエンコーディングシステムを提供する。【解決手段】  予め設定されたタグＴの搬送速度を維持した場合のタグＴの読込み可能処理時間および書込み可能処理時間を演算する演算手段２５Ａと、タグＴの読込みを行う読込み手段２３と、読込み手段２３から搬送されたタグＴへの書込みを行う書込み手段２４と、読込み手段２４によるタグＴの読込みが該読込み可能処理時間内で行われなかったときに、タグＴの搬送を優先させて書込み処理をパスする制御手段２５と、読込み手段２３によるタグＴの読込みが該読込み可能処理時間内で行われなかったときにタグＴに読込みエラーの表示を行い、書込み手段２３によるタグＴの書込みが該書込み可能処理時間内で行われなかったときにタグＴに書込みエラーの表示を行う印字手段３と、を備え、タグＴが所定の基準の範囲内では搬送を停止させられることなく読書き処理がなされる。【選択図】図３
2015179397.tif 000002
【特許請求の範囲】
【請求項１】
搬送されるＲＦＩＤタグの読書きを行うエンコーディングシステムであって、
予め設定された前記ＲＦＩＤタグの搬送速度を維持した場合の前記ＲＦＩＤタグの読込み可能処理時間および書込み可能処理時間を演算する演算手段と、
前記ＲＦＩＤタグの読込みを行う読込み手段と、
前記読込み手段から搬送された前記ＲＦＩＤタグへの書込みを行う書込み手段と、
前記読込み手段による前記ＲＦＩＤタグの読込みが前記読込み可能処理時間内で行われなかったときに、前記ＲＦＩＤタグの搬送を優先させて前記書込み手段による書込み処理をパスする制御手段と、
前記読込み手段による前記ＲＦＩＤタグの読込みが前記読込み可能処理時間内で行われなかったときに前記ＲＦＩＤタグに読込みエラーの表示を行い、前記書込み手段による前記ＲＦＩＤタグの書込みが前記書込み可能処理時間内で行われなかったときに前記ＲＦＩＤタグに書込みエラーの表示を行う印字手段と、
を備え、
前記ＲＦＩＤタグが所定の基準の範囲内では搬送を停止させられることなく読書き処理を行うことを特徴とするＲＦＩＤタグのエンコーディングシステム。
【請求項２】
前記書込み手段は、前記ＲＦＩＤタグのそれぞれと一対一で書込みを行う第１書込み手段と、前記第１書込み手段の下流側に設けられ、前記第１書込み手段での書込みが前記書込み可能処理時間内で行われなかったＲＦＩＤタグに対して書込みを行う第２書込み手段と、を備え、
前記印字手段は、前記第２書込み手段による前記ＲＦＩＤタグの書込みが前記書込み可能処理時間内で行われなかったときに前記ＲＦＩＤタグに書込みエラーの表示を行うことを特徴とする請求項１に記載のＲＦＩＤタグのエンコーディングシステム。
【請求項３】
前記制御手段が、前記読込みエラーおよび前記書込みエラーのうち少なくとも一方が所定の基準を超えて連続して発生したときに、前記ＲＦＩＤタグの搬送を停止させることを特徴とする請求項１または２に記載のＲＦＩＤタグのエンコーディングシステム。
【請求項４】
さらに、
前記印字手段から搬送された前記ＲＦＩＤタグの書込みデータの一致を確認する検査手段と、
前記読込みエラー、前記書込みエラー、および前記検査手段からの検査エラーのうち少なくともいずれかがあったとき、前記検査手段から搬送された前記ＲＦＩＤタグに複数のエンボスを形成するマーキング手段と、
を備え、
前記印字手段が、発生した前記読込みエラー、前記書込みエラー、前記検査エラーの種類に応じて前記複数のエンボスを形成する予定位置に異なる印字表示をすることを特徴とする請求項１ないし３のいずれか１項に記載のＲＦＩＤタグのエンコーディングシステム。
【発明の詳細な説明】
【技術分野】
【０００１】
本発明はＲＦＩＤタグのエンコーディングシステムに関する。
【背景技術】
【０００２】
従来から、ＩＣチップおよびＲＦＩＤ（Radio Frequency Identification）アンテナを有し、無線データ通信が可能なＲＦＩＤタグは、リーダーライターにおけるアンテナとの間で各種データの読取り処理および書込み処理を行うことにより、各種管理システムなどに利用されている。
【０００３】
一般的には、当該ＲＦＩＤタグは、これを複数枚備えた帯状の連続紙として、あるいは複数枚を備えたシート状部材として移送路上を移送し、前記アンテナの部位で、一旦移送を停止した状態でデータの読書き処理を行う移送停止読書き方式がある。
【０００４】
しかし、移送を停止させて読書きを行う方式は、ＲＦＩＤタグの移送および停止を間欠的に行わなければならず、処理効率の低下を否めないという不都合を有する。
【先行技術文献】
【特許文献】
【０００５】
【特許文献１】特開２００９−３７４５２号公報
【発明の概要】
【発明が解決しようとする課題】
【０００６】
本発明は、このような事情に鑑みてなされたものであり、その目的は、ＲＦＩＤタグの読書き処理の効率を大幅に向上させたＲＦＩＤタグのエンコーディングシステムを提供することにある。
また、本発明の他の目的は、スタック等された複数のタグの中から不良と判定されたタグを容易に見つけることのできるＲＦＩＤタグのエンコーディングシステムを提供することにある。
【課題を解決するための手段】
【０００７】
本発明は、以下の構成によって把握される。
（１）本発明のＲＦＩＤタグのエンコーディングシステムは、搬送されるＲＦＩＤタグの読書きを行うエンコーディングシステムであって、予め設定された前記ＲＦＩＤタグの搬送速度を維持した場合の前記ＲＦＩＤタグの読込み可能処理時間および書込み可能処理時間を演算する演算手段と、前記ＲＦＩＤタグの読込みを行う読込み手段と、前記読込み手段から搬送された前記ＲＦＩＤタグへの書込みを行う書込み手段と、前記読込み手段による前記ＲＦＩＤタグの読込みが前記読込み可能処理時間内で行われなかったときに、前記ＲＦＩＤタグの搬送を優先させて前記書込み手段による書込み処理をパスする制御手段と、前記読込み手段による前記ＲＦＩＤタグの読込みが前記読込み可能処理時間内で行われなかったときに前記ＲＦＩＤタグに読込みエラーの表示を行い、前記書込み手段による前記ＲＦＩＤタグの書込みが前記書込み可能処理時間内で行われなかったときに前記ＲＦＩＤタグに書込みエラーの表示を行う印字手段と、を備え、前記ＲＦＩＤタグが所定の基準の範囲内では搬送を停止させられることなく読書き処理を行うことを特徴とする。
（２）本発明のＲＦＩＤタグのエンコーディングシステムは、（１）の構成において、前記書込み手段は、前記ＲＦＩＤタグのそれぞれと一対一で書込みを行う第１書込み手段と、前記第１書込み手段の下流側に設けられ、前記第１書込み手段での書込みが前記書込み可能処理時間内で行われなかったＲＦＩＤタグに対して書込みを行う第２書込み手段と、を備え、前記印字手段は、前記第２書込み手段による前記ＲＦＩＤタグの書込みが前記書込み可能処理時間内で行われなかったときに前記ＲＦＩＤタグに書込みエラーの表示を行うことを特徴とする。
（３）本発明のＲＦＩＤタグのエンコーディングシステムは、（１）または（２）の構成において、前記制御手段が、前記読込みエラーおよび前記書込みエラーのうち少なくとも一方が所定の基準を超えて連続して発生したときに、前記ＲＦＩＤタグの搬送を停止させることを特徴とする。
（４）本発明のＲＦＩＤタグのエンコーディングシステムは、（１）ないし（３）のいずれかの構成において、さらに、前記印字手段から搬送された前記ＲＦＩＤタグの書込みデータの一致を確認する検査手段と、前記読込みエラー、前記書込みエラー、および前記検査手段からの検査エラーのうち少なくともいずれかがあったとき、前記検査手段から搬送された前記ＲＦＩＤタグに複数のエンボスを形成するマーキング手段と、を備え、前記印字手段が、発生した前記読込みエラー、前記書込みエラー、前記検査エラーの種類に応じて前記複数のエンボスを形成する予定位置に異なる印字表示をすることを特徴とする。
【発明の効果】
【０００８】
本発明のＲＦＩＤタグのエンコーディングシステムによれば、ＲＦＩＤタグの読書き処理の大幅な効率を向上させることができる。
また、本発明のＲＦＩＤタグのエンコーディングシステムによれば、スタック等された複数のタグの中から不良と判定されたタグを容易に見つけることができる。
【図面の簡単な説明】
【０００９】
【図１】本発明のＲＦＩＤタグのエンコーディングシステムが適用されるタグ形成装置の全体を示す図である。
【図２】（ａ）、（ｂ）は、エンコード装置と印字装置を示し、（ａ）は上面図、（ｂ）は側面図である。
【図３】本発明のＲＦＩＤタグのエンコーディングシステムの制御部における動作フローを示す図である。
【図４】（ａ）、（ｂ）、（ｃ）は、タグに読込みエラーあるいは書込みエラーが生じた場合にタグに印字を行う態様を示した図である。
【図５】（ａ）、（ｂ）、（ｃ）は、さらに、タグに確認エラーが生じた場合に該タグにマーキングを行う態様を示した図である。
【図６】タグにエンボスが形成されている模様を示した斜視図である。
【図７】カットスタック装置の箱体にタグが収納されていることを示した斜視図である。
【図８】エンコード装置の他の実施形態を示す図で、（ａ）は上面図、（ｂ）は側面図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
【００１１】
（実施形態１）
図１は、本発明のＲＦＩＤタグのエンコーディングシステムが適用されるタグ形成装置の全体を示す図である。
【００１２】
図１に示すように、ＲＦＩＤタグのエンコーディングシステム１０は、図中左側から右側にかけて、順次、連続紙供給装置１、エンコード装置２、印字装置（印字手段）３、検査装置（検査手段）４、マーキング装置（マーキング手段）５、および連続紙排出装置６が順次並列されて構成されている。
【００１３】
連続紙供給装置１では、図１（ｂ）に示すように、連続紙Ｐが‘Ｚ’字状に折り畳まれており、その一端がエンコード装置２に挿入されることにより、連続紙Ｐは図示しない移送部（図２にて符号１７で示す）によって該エンコード装置２、印字装置３、検査装置４、マーキング装置５へ搬送されるようになっている。エンコード装置２では、搬送される連続紙Ｐに形成される各ＲＦＩＤタグ（図２にて符号Ｔで示す：以下、単にタグＴと称する）に対して情報の読取りおよび書込みを行うようになっている。印字装置３では、搬送される連続紙ＰのタグＴにたとえばトナー等によって表面に印字が施されるようになっている。これにより、連続紙Ｐの各タグＴの表面には、たとえばバーコード、数字、その他の情報が印字されるようになっている。そして、印字装置３では、上述した情報とともに、エンコード装置２において生じた読込みエラーあるいは書込みエラーを示す印字がなされるようになっている。なお、読込みエラーと書込みエラーを合わせて単にエラーを示す印字を行うようにしてもよい。検査装置４では、各ＲＦＩＤメディアに書き込んだ情報（書込みデータ）が送信したデータと一致しているかの検査をするようになっている。マーキング装置５では、エンコード装置２および検査装置４の結果によって、不良と判断されたタグＴ（不良タグ）に切り込みによるマークを付するようになっている。連続紙排出装置６では、マーキング装置５からの連続紙Ｐを、図１（ｃ）に示すように、‘Ｚ’字状に折り畳むようになっている。ここで、‘Ｚ’字状に折り畳んだ連続紙Ｐは、通常、図１（ｄ）に示すように、エンコーディングシステム１０と分離した位置に配置されているカットスタック部（装置）７に挿入することにより、連続紙ＰはタグＴごとにカットされ、カットされた複数のタグＴが箱体７Ａ内において表裏面を互いに接触されてスタックされるようになっている。
【００１４】
図２（ａ）、（ｂ）は、エンコード装置２と印字装置３を示しており、図２（ａ）は上面図、図２（ｂ）は側面図である。また、図２（ａ）、（ｂ）には、搬送される連続紙Ｐをも図示している。
【００１５】
図２（ａ）、（ｂ）に示すように、連続紙Ｐは、そのシート本体１１に複数（図では１０×３枚）のタグＴが仮着され、その長手方向の各辺の近傍には該長手方向に沿って複数の移送用孔１２が形成されている。また、シート本体１１の裏面には図示しないが位置検出用マークが印字されている。
【００１６】
また、タグＴは、それぞれ、図２（ａ）の一部に拡大して示すように、タグフィルム１３上において、その中央位置に設けたＩＣチップ１４と、ＩＣチップ１４にたとえばＵＨＦの帯域（９２０ＭＨｚ帯域）で使用するダイポール型に形成したアンテナ１５と、を有し、エンコード装置２との間で無線データ通信（データの読書き処理）ができるようになっている。
【００１７】
エンコード装置２は、ハウジング２Ａを有し、このハウジング２Ａ上には連続紙Ｐを搬送させる移送部１７を有し、この移送部１７は、タグエンコーダ１８およびタグセンサー１９を有し、連続紙Ｐの先端部を移送路２０に向けて上流側から下流側に向かって移送させるようになっている。また、エンコード装置２には、図示しない複数本の移送ベルトが設けられ、複数の孔が設けられた移送ベルトの下方からエアー吸引された状態で連続紙Ｐを張りながら上流側から下流側に移送される。
【００１８】
すなわち、タグエンコーダ１８は、連続紙Ｐの移送用孔１２に係合する歯車（図示せず）を有し、その駆動モータ（図示せず）の回転数をカウントすることによって、連続紙Ｐの移送距離を測定できるようになっている。また、タグセンサー１９が連続紙Ｐの裏面の前記位置検出用マーク（図示せず）を検出することによって、連続紙Ｐ（タグＴ）のエンコード装置２および印字装置３に対する相対位置を検出できるようになっている。
【００１９】
また、エンコード装置２は、データ読書き部２２を有し、このデータ読書き部２２は、その上流側に設けられる読込み部（読込み手段）２３と、下流側において設けられる書込み部（書込み手段）２４とを有している。
【００２０】
読込み部２３は、図２（ｂ）に示すように、第１アンテナ２３Ａ、第１リーダーライター２３Ｂを有し、書込み部２４は、第２アンテナ２４Ａ、第２リーダーライター２４Ｂを有し、第１リーダーライター２３Ｂ、第２リーダーライター２４Ｂは制御部（制御手段）２５によって制御されるようになっている。
【００２１】
第１アンテナ２３Ａ、第２アンテナ２４Ａは、それぞれ、連続紙Ｐの幅方向に並列されたタグＴの数（図中１０個）に合わせて設けられ、連続紙Ｐの搬送にともなって、１０個のタグＴごとに、無線データ通信によって情報の読取り、書き込みができるようになっている。
【００２２】
ここで、制御部２５は、第１リーダーライター２３Ｂ、第２リーダーライター２４Ｂを制御するとともに、連続紙Ｐ（タグＴ）を搬送する際に、予め設定された搬送速度を維持させた場合（停止させない場合）でのタグＴの読込み可能処理時間および書込み可能処理時間を演算する演算部（演算手段）２５Ａを備えている。
【００２３】
また、制御部２５は、タグＴの読取り処理において、「タイムアウト」を検出できるようになっている。「タイムアウト」とは、第１アンテナ２３ＡとタグＴのアンテナ１５の組み合わせにおいて設定されている所定時間内にタグＴからの返信がない場合をいう。また、制御部２５は、タグＴの「読取り処理エラー」を検知できるようになっている。「読取り処理エラー」とは、第１アンテナ２３ＡからタグＴへの問い合わせに対してタグＴのアンテナ１５からの返信内容が認識不可能であるか、識別番号として明らかに誤回答であるような場合をいう。また、制御部２５は、タグＴの書込み処理において、「タイムアウト」を検出できるようになっている。「タイムアウト」とは、第２アンテナ２４ＡとタグＴのアンテナ１５の組み合わせにおいて設定されている所定時間内にタグＴへの書き込みが完了しない場合をいう。さらに、制御部２５は、タグＴの「書込み処理エラー」を検知できるようになっている。「書込み処理エラー」とは、第２アンテナ２４ＡからタグＴへの問い合わせに対してタグＴのアンテナ１５からの返信内容が認識不可能であるか、識別番号として明らかに誤回答であるような場合をいう。
【００２４】
このように構成されたＲＦＩＤタグのエンコーディングシステム１０において、制御部２５の動作フローを図３に示す。
【００２５】
なお、図３に示す動作フローは、読込みエラーおよび書込みエラーのうち少なくとも一方が所定の基準の範囲内において（たとえば該エラーが所定の回数内に連続される場合）連続紙Ｐの搬送が停止されることなく動作されるようになっている。
【００２６】
まず、ステップＳ１にて、ＰＣ等から送付されたデータに基づいてＲＦＩＤ書込みデータ、印字データを制御部２５により印字および書込みに適したデータに展開する。次に、ステップＳ２にて、エンコーディングシステム１０における移送部１７を駆動する。これにより、移送部の駆動開始とともにカウントが開始される。次に、ステップＳ３にて、タグセンサー１９が連続紙ＰのタグＴの先端を検出する。連続紙ＰのタグＴの先端検出は、連続紙Ｐの裏面の位置検出用マークの検出によって行うようになっている。次に、ステップＳ４にて、読込み部２３における電波出力のタイミングリセットを行う。これにより、連続紙Ｐの移送位置に応じて読込み電波を出力させる準備がなされるようになる。次に、ステップＳ５にて、連続紙Ｐが読込みタイミング位置に来ているか否かを判定する。ＲＦＩＤタグ連続体Ｐが読込みタイミング位置に来ていない場合（Ｎｏ）、さらに、ステップＳ６にて、連続紙Ｐが書込みタイミング位置に来ているか否かを判定する。連続紙Ｐが書込みタイミング位置に来ていない場合（Ｎｏ）、ステップＳ７にて、搬送カウントアップされることによって、ステップＳ３に戻り、タグセンサー１９が連続紙ＰのタグＴの先端を検出するようになる。
【００２７】
ステップＳ５にて、連続紙Ｐが読込みタイミング位置に来ている場合、ステップＳ８にて、読込み部２３で読込み電波の出力を開始する。次に、ステップＳ９にて、連続紙Ｐの最初の列の各タグＴのＲＦＩＤ情報の読込みを開始する。この際、タイマーが起動され、所定時間を計測するようになる。次に、ステップＳ１０にて、ＲＦＩＤ情報の読込みを完了したか否かを判定する。この判定は前記タグＴからの返答があったか否かによって行う。タグＴからの返答がない場合、ステップＳ１１にて、タイムアウトになるまで、ＲＦＩＤ情報の読込みが継続される。ステップＳ１１にて、タイムアウトが判定された場合、ステップ１２にて、電波の出力が停止され、ステップＳ１３にて、エラーを示すフラグをＯＮし、印字装置３、マーキング装置５にその旨の信号を送出する。そして、ステップＳ１４にて、次の工程として行うべく書込み部２４での書込み処理をパスし（ＲＦＩＤタグの搬送を優先させる）、ステップＳ３に戻り、連続紙ＰのタグＴの先頭を検出する。ステップＳ１０にて、読込み完了の返答があった場合、ステップＳ１５にて、電波の出力を停止させ、ステップ１６にて、ＯＫ処理を出す。すなわち、読込みデータを格納し、印字装置３における印字データを生成するようにする。そして、ステップＳ１７にて、書込み処理に移行するため、ステップＳ３に戻り、次の連続紙ＰのタグＴの先頭を検出する。
【００２８】
ステップＳ６にて、連続紙Ｐ（タグＴ）が書込みタイミング位置に来ている場合、ステップＳ２０にて、書込み電波の出力を開始する。次に、ステップＳ１９にて、連続紙Ｐ（タグＴ）のＲＦＩＤ情報の書込みを開始する。この際、タイマーが起動され、所定時間を計測するようになる。次に、ステップＳ２０にて、ＲＦＩＤ情報の書込みを完了したか否かを判定する。この判定はタグＴからの返答があったか否かによって行う。ステップＳ２１にて、タイムアウトが判定された場合、ステップＳ２２にて、電波の出力を停止し、ステップＳ２３にて、エラーを示すフラグをＯＮし、印字装置３、マーキング装置５にその旨の信号を送出する。そして、ステップＳ３に戻り、次の連続紙ＰにおけるタグＴの先頭を検出する。ステップＳ２０にて、書込み完了の返答があった場合、ステップ２４にて、電波の出力を停止させ、ステップ２５にて、ＯＫ処理を出す。すなわち、処理完了のフラグをＯＮにする。そして、ステップＳ３に戻り、次の連続紙ＰにおけるタグＴの先頭を検出する。
【００２９】
なお、上述したように、図３に示す動作フローは、読込みエラーおよび書込みエラーのうち少なくとも一方が所定の基準の範囲内において（たとえば該エラーが所定の回数内に連続されない場合）連続紙Ｐの搬送が停止されることなく動作されるようになっている。しかし、読込みエラーおよび書込みエラーのうち少なくとも一方が所定の基準を超えて（たとえば該エラーが所定の回数以上に）連続して発生したときに、連続紙Ｐ（タグＴ）の搬送を停止させるようにしてもよい。
【００３０】
印字装置３では、制御部２５の動作フローのステップＳ１３にて読込みエラーが生じた場合、図４（ａ）に示すように、対応するタグＴの所定の１個所に印字（たとえば黒ベタ）表示Ｓをするようになっている。この場合、印字された領域は、たとえば、後の工程で形成される３個のエンボスのうち真ん中のエンボスの形成領域となっている。同様に、制御部２５の動作フローのステップＳ２５にて書込みエラーが生じた場合、図４（ｂ）に示すように、対応するタグＴの所定の２個所に印字（黒ベタ）表示Ｓをするようになっている。この場合、印字された領域は、たとえば、後に工程で形成される３個のエンボスのうち両脇のエンボスの形成領域となっている。また、動作フローのステップＳ１３、ステップＳ２５において、いずれもエラーが生じていなかった場合、図４（ｃ）に示すように、対応するタグＴには印字（黒ベタ）表示を行わないようになっている。
【００３１】
検査装置４では、印字装置３から搬送される連続紙Ｐの各タグＴにエンコード装置２によって書き込まれた情報を確認するようになっている。
【００３２】
マーキング装置５では、制御部２５の動作フローのステップＳ１３にて生じた読込みエラー、ステップＳ２３にて生じた書込みエラー、および検査装置４にて検出された検査エラー（ＰＣ等から送付された書込みデータと実際に書き込んだデータが一致しない）のうち少なくともいずれかがあったとき、検査装置４から搬送されたタグＴであって対応するものにすくなくとも３個のエンボスを形成するようになっている。図５（ａ）は、読込みエラーがあったタグＴにエンボスＥが形成された場合を示し、図５（ｂ）は、書込みエラーがあったタグＴにエンボスＥが形成された場合を示し、図５（ｃ）は、確認書込みエラーがあったタグＴにエンボスＥが形成された場合を示している。この場合、読込みエラーがあったタグＴには、図５（ａ）に示すように、３個のエンボスＥのうちの真中の１個が印字（黒ベタ）表示Ｓに重ねられて形成されるようになっている。また、書込みエラーがあったタグＴには、図５（ｂ）に示すように、３個のエンボスＥのうちの両脇の２個が印字（黒ベタ）表示に重ねられて形成されるようになっている。そして、確認書込みエラーがあったタグＴには、図５（ｃ）に示すように、３個のエンボスＥが印字（黒ベタ）表示されていない領域に形成されるようになっている。
【００３３】
なお、エンボスＥは、たとえば、図６に示すように、タグＴに形成された切り込みをほぼ垂直に起立させた切り込み部Ｔ０を有して形成されるようになっている。
【００３４】
図７は、連続紙Ｐをカットスタック部（装置）７（図１（ａ）参照）によってタグＴごとにカットした後にスタックした状態を示す図である。図８に示すように、カットスタック部（装置）７には一方向に沿って溝が形成される箱体Ａを有し、この箱体Ａ内に複数のタグＴが表裏面を接触させて収納されている。この場合、不良とされたタグＴには、その一方の面に折り曲げられた切り込み部Ｔ０を有することから、切り込み部Ｔ０によって隣接する他のタグＴとの間に隙間Ｇが形成され、不良とされたタグＴを一見して判別することができるようになる。また、切り込み部Ｔ０には、それに付された印字（たとえば黒ベタ）表示によって、読込みエラーがなされたものか否か、書込みエラーがなされたものか否か、を容易に判別することができるようになる。
【００３５】
（実施形態２）
実施形態１では、図２に示したように、エンコード装置２のデータ読書き部２２を、上流側の読込み部（読込み手段）２３と、下流側の書込み部（書込み手段）２４とで構成したものである。
【００３６】
しかし、図８に示すように、データ読書き部２２は、上流側に設けられる読込み部（読込み手段）２３、下流側に設けられる第１書込み部（第１書込み手段）２４１、さらに下流側に設けられる第２書込み部（第２書込み手段）２４２で構成されるようにしてもよい。
ここで、読込み部（読込み手段）２３は、実施形態１で説明したと同様に、タグＴの数に合わせて連続紙の幅方向に複数設けられ、第１リーダーライター２３Ｂが各タグＴのＲＦＩＤメディアと一対一で通信を行うようになっている。第１書込み部（第１書込み手段）２４１は、実施形態１の書込み部（書込み手段）２４と同様に、タグＴの数に合わせて連続紙の幅方向に複数設けられ、リーダーライター２４１Ｂが各タグＴのＲＦＩＤメディアと一対一で通信を行うようになっている。なお、図中符号２４１Ａはアンテナである。そして、第２書込み部（第２書込み手段）２４２は、第１書込み部（第１書込み手段）２４１で書き込めなかったタグＴに対して書込みを行うリカバリー用途の書込み部として機能し、異なる列のタグＴに対して一対複数で通信を行うようになっている。また、第２書込み部（第２書込み手段）２４２は、内蔵される１つのリーダーライター（図示せず）がタグＴの列を跨ぐ様に設けられ、電波方式で通信するようになっている。
【００３７】
制御部２５は、演算部（演算手段）２５Ａによって演算された書込み可能処理時間に基づき第１書込み部（第１書込み手段）２４１および第２書込み部（第２書込み手段）２４２でそれぞれタイムアウトを検出できるようになっている。そして第１書込み部（第１書込み手段）２４１でタイムアウトを検出した場合にタイムアウトとなったＲＦＩＤメディアを対象として第２書込み部（第２書込み手段）２４２で再度書込み処理が行われ、第２書込み部（第２書込み手段）２４２でタイムアウトを検出した場合に電波の出力を停止させ、エラーを示すフラグをＯＮにするようになっている（図３のステップＳ２３参照）。すなわち、印字装置（印字手段）３は、第２書込み部（第２書込み手段）２４２によるタグＴの書込みが書込み可能処理時間内で行われなかったときに該タグＴに書込みエラーの表示を行うようになっている。
【００３８】
（実施形態３）
上述した実施形態１では、読込みエラーがあった場合に１個の印字（たとえば黒ベタ）表示を、書込みエラーがあった場合に２個の印字（たとえば黒ベタ）表示を行うようにしたものである。しかし、これらを逆にし、読込みエラーがあった場合に２個の印字（たとえば黒ベタ）表示を、書込みエラーがあった場合に１個の印字（たとえば黒ベタ）表示を行うようにしてもよいことはいうまでもない。要は、読込みエラー、書込みエラー、検査エラーの種類に応じて複数のエンボスを形成する予定位置に異なる印字表示をするようにすればよい。
【００３９】
（実施形態４）
上述した実施形態１では、エンボスＥとして、切り込みをほぼ垂直に起立させた切り込み部Ｔ０を形成したものであるが、これに限定されないことはいうまでもない。たとえば単に凹凸を設けるようにしたものであってもよい。
【００４０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００４１】
１              連続紙供給装置
２              エンコード装置
２Ａ            ハウジング
３              印字装置（印字手段）
４              検査装置（検査手段）
５              マーキング装置（マーキング手段）
６              連続紙排出装置
７              カットスタック部（装置）
１０            ＲＦＩＤタグのエンコーディングシステム
１１            シート本体
１２            移送用孔
１３            タグフィルム
１４            ＩＣチップ
１５            アンテナ
１７            移送部
１８            タグエンコーダ
１９            タグセンサー
２０            移送路
２２            データ読書き部
２３            読込み部（読込み手段）
２４            書込み部（書込み手段）
２４１          第１書込み部（第１書込み手段）
２４２          第２書込み部（第２書込み手段）
２５            制御部（制御手段）
２５Ａ          演算部（演算手段）
Ｔ              タグ（ＲＦＩＤタグ）
Ｐ              連続紙
Ｓ              印字（たとえば黒ベタ）表示
Ｇ              隙間
【図１】
2015179397.tif 000003
【図２】
2015179397.tif 000004
【図３】
2015179397.tif 000005
【図４】
2015179397.tif 000006
【図５】
2015179397.tif 000007
【図６】
2015179397.tif 000008
【図７】
2015179397.tif 000009
【図８】
2015179397.tif 000010